【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
店舗端末に送信する決済口座を示すデータを取得する手段と、
前記決済口座を示すデータが符号化されてなるＰＣＭ形式の出力音声データであって、非可聴周波数帯の音声を示す出力音声データを出力する符号化手段と、
前記出力音声データをＤＡ変換器に変換させることにより当該出力音声データに応じた音声をスピーカに出力させる音声出力手段と、
を含み、
前記符号化手段は、前記出力音声データが前記送信データに応じて複数の有音区間と隣り合う有音区間の間の無音区間とを有する音声を示し、かつ前記各有音区間の振幅が開始時から増加し極大となった後に減少するサインカーブを示すように当該出力音声データを出力する、
ことを特徴とする携帯端末。
【請求項２】
前記店舗端末に対し通信を開始することを示す音声を前記スピーカに出力させ、マイクに入力される音声であって前記通信を開始することを示す音声に前記店舗端末が応答する音声に基づいて前記音声出力手段が出力させる音声の大きさを変更する開始制御手段、
をさらに含むことを特徴とする請求項１に記載の携帯端末。
【請求項３】
前記店舗端末に対し通信を開始することを示す音声を前記音声出力手段を用いて前記スピーカに出力させ、当該通信を開始することを示す音声に前記店舗端末が応答する音声を認識しない場合に、前記音声出力手段が出力させる音声の大きさを変更し、前記店舗端末に対し通信を開始することを示す音声を前記スピーカに出力させることを繰り返す開始制御手段、
をさらに含むことを特徴とする請求項１に記載の携帯端末。
【請求項４】
ユーザＩＤに基づいて、前記ユーザＩＤに応じた決済口座を示す情報をネットワークを介して取得する決済情報取得手段、
をさらに含むことを特徴とする請求項１から３のいずれかに記載の携帯端末。
【請求項５】
前記決済口座を示す情報は、暗号化された前記決済口座の残高情報を含む、
ことを特徴とする請求項１から３のいずれかに記載の携帯端末。
【請求項６】
前記決済口座を示す情報に応じた音声をスピーカが出力した後に、更新されかつ暗号化された決済口座の残高情報を含む決済結果情報を前記店舗端末から取得する決済結果取得手段をさらに含む、
ことを特徴とする請求項５に記載の携帯端末。
【請求項７】
店舗端末に送信する決済口座を示すデータを取得するステップと、
前記決済口座を示すデータが符号化されてなるＰＣＭ形式の出力音声データであって、非可聴周波数帯の音声を示す出力音声データを出力する符号化ステップと、
前記出力音声データをＤＡ変換器に変換させることにより当該出力音声データに応じた音声をスピーカに出力させる出力ステップと、
を含み、
前記符号化ステップでは、前記出力音声データが前記送信データに応じて複数の有音区間と隣り合う有音区間の間の無音区間とを有する音声を示し、かつ前記各有音区間の振幅が開始時から増加し極大となった後に減少するサインカーブを示すように当該出力音声データを出力する、
ことを特徴とする送信方法。
【請求項８】
店舗端末に送信する決済口座を示すデータを取得する手段、
前記決済口座を示すデータが符号化されてなるＰＣＭ形式の出力音声データであって、非可聴周波数帯の音声を示す出力音声データを出力する符号化手段、および
前記出力音声データをＤＡ変換器に変換させることにより当該出力音声データに応じた音声をスピーカに出力させる音声出力手段、
としてコンピュータを機能させ、
前記符号化手段は、前記出力音声データが前記送信データに応じて複数の有音区間と隣り合う有音区間の間の無音区間とを有する音声を示し、かつ前記各有音区間の振幅が開始時から増加し極大となった後に減少するサインカーブを示すように当該出力音声データを出力する、
ことを特徴とするプログラム。
【請求項９】
店舗端末に送信する決済口座を示すデータを取得する手段、
前記決済口座を示すデータが符号化されてなるＰＣＭ形式の出力音声データであって、非可聴周波数帯の音声を示す出力音声データを出力する符号化手段、および
前記出力音声データをＤＡ変換器に変換させることにより当該出力音声データに応じた音声をスピーカに出力させる音声出力手段、
としてコンピュータを機能させるためのプログラムであって、
前記符号化手段が、前記出力音声データが前記送信データに応じて複数の有音区間と隣り合う有音区間の間の無音区間とを有する音声を示し、かつ前記各有音区間の振幅が開始時から増加し極大となった後に減少するサインカーブを示すように当該出力音声データを出力する、
ためのプログラムを記憶したコンピュータ読み取り可能な記憶媒体。
【請求項１０】
マイクに入力されかつ携帯端末が出力する決済口座を示すデータが符号化されてなる非可聴周波数帯の音声であって、前記決済口座を示すデータに応じて複数の有音区間と隣り合う有音区間の間の無音区間とを有しかつ前記各有音区間の振幅が開始時から増加し極大となった後に減少するサインカーブを示す音声を示すＰＣＭ形式の入力音声データをＡＤ変換器を介して取得する音声入力手段と、
前記入力音声データが示す音声から非可聴周波数帯の音声を抽出した抽出音声データを生成する抽出手段と、
前記抽出音声データに基づいて前記決済口座を示すデータを復号する復号手段と、
前記決済口座を示すデータと、決済金額とを残高管理装置に送信する決済問合手段と、
前記残高管理装置から受信した決済の可否を示す情報に基づいて決済の結果を示す情報を出力する結果出力手段と、
を含むことを特徴とする店舗端末。
【請求項１１】
前記マイクに入力される音声であって、携帯端末が通信を開始することを示す音声が所定の条件を満たす場合に、前記携帯端末が出力する音声の大きさを変更させる情報を示す音声をスピーカに出力させる開始応答手段をさらに含む、
ことを特徴とする請求項１０に記載の店舗端末。
【請求項１２】
前記結果出力手段は、前記残高管理装置から決済可能を示す情報を受信した場合に、前記決済の結果を示す情報として利用者が認識できる所定の音をスピーカに出力させる情報を出力する、
ことを特徴とする請求項１０または１１に記載の店舗端末。
【請求項１３】
前記決済口座を示すデータは暗号化された前記決済口座の残高情報を含み、
前記結果出力手段は、前記残高管理装置から決済可能を示す情報を受信した場合に、前記残高管理装置から更新されかつ暗号化された決済口座の残高情報を受信し、当該受信した残高情報を前記携帯端末に送信する、
ことを特徴とする請求項１０から１２のいずれかに記載の店舗端末。
【請求項１４】
前記更新されかつ暗号化された決済口座の残高情報を前記携帯端末に送信した後に、前記携帯端末から当該残高情報を受信したことを示す情報を受信した場合に、前記残高管理装置に決済完了を示す情報を送信する完了情報送信手段をさらに含む、
ことを特徴とする請求項１３に記載の店舗端末。
【請求項１５】
マイクに入力されかつ携帯端末が出力する決済口座を示すデータが符号化されてなる非可聴周波数帯の音声であって、前記決済口座を示すデータに応じて複数の有音区間と隣り合う有音区間の間の無音区間とを有しかつ前記各有音区間の振幅が開始時から増加し極大となった後に減少するサインカーブを示す音声を示すＰＣＭ形式の入力音声データをＡＤ変換器を介して取得する入力ステップと、
前記入力音声データが示す音声から非可聴周波数帯の音声を抽出した抽出音声データを生成する抽出ステップと、
前記抽出音声データに基づいて前記決済口座を示すデータを復号する復号ステップと、
前記決済口座を示すデータと、決済金額とを残高管理装置に送信する決済問合ステップと、
前記残高管理装置から受信した決済の可否を示す情報に基づいて決済の結果を示す情報を出力する結果出力ステップと、
含むことを特徴とする受信方法。
【請求項１６】
マイクに入力されかつ携帯端末が出力する決済口座を示すデータが符号化されてなる非可聴周波数帯の音声であって、前記決済口座を示すデータに応じて複数の有音区間と隣り合う有音区間の間の無音区間とを有しかつ前記各有音区間の振幅が開始時から増加し極大となった後に減少するサインカーブを示す音声を示すＰＣＭ形式の入力音声データをＡＤ変換器を介して取得する音声入力手段、
前記入力音声データが示す音声から非可聴周波数帯の音声を抽出した抽出音声データを生成する抽出手段、
前記抽出音声データに基づいて前記決済口座を示すデータを復号する復号手段、
前記決済口座を示すデータと、決済金額とを残高管理装置に送信する決済問合手段、および、
前記残高管理装置から受信した決済の可否を示す情報に基づいて決済の結果を示す情報を出力する結果出力手段、
としてコンピュータを機能させるためのプログラム。
【請求項１７】
マイクに入力されかつ携帯端末が出力する決済口座を示すデータが符号化されてなる非可聴周波数帯の音声であって、前記決済口座を示すデータに応じて複数の有音区間と隣り合う有音区間の間の無音区間とを有しかつ前記各有音区間の振幅が開始時から増加し極大となった後に減少するサインカーブを示す音声を示すＰＣＭ形式の入力音声データをＡＤ変換器を介して取得する音声入力手段、
前記入力音声データが示す音声から非可聴周波数帯の音声を抽出した抽出音声データを生成する抽出手段、
前記抽出音声データに基づいて前記決済口座を示すデータを復号する復号手段、
前記決済口座を示すデータと、決済金額とを残高管理装置に送信する決済問合手段、および、
前記残高管理装置から受信した決済の可否を示す情報に基づいて決済の結果を示す情報を出力する結果出力手段、
としてコンピュータを機能させるためのプログラムを記憶するコンピュータ読み取り可能な記憶媒体。
【請求項１８】
携帯端末と店舗端末とを含む決済システムであって、
前記携帯端末は、
決済口座を示すデータを取得する手段と、
前記決済口座を示すデータが符号化されてなるＰＣＭ形式の出力音声データであって、非可聴周波数帯の音声を示す出力音声データを出力する符号化手段と、
前記出力音声データをＤＡ変換器に変換させることにより当該出力音声データに応じた音声をスピーカに出力させる音声出力手段と、
を含み、
前記符号化手段は、前記出力音声データが前記送信データに応じて複数の有音区間と隣り合う有音区間の間の無音区間とを有する音声を示し、かつ前記各有音区間の振幅が開始時から増加し極大となった後に減少するサインカーブを示すように当該出力音声データを出力し、
前記店舗端末は、
マイクに入力される音声であって、前記携帯端末が出力する音声を示すＰＣＭ形式の入力音声データをＡＤ変換器を介して取得する音声入力手段と、
前記入力音声データが示す音声から非可聴周波数帯の音声を抽出した抽出音声データを生成する抽出手段と、
前記抽出音声データに基づいて前記決済口座を示すデータを復号する復号手段と、
前記決済口座を示すデータと、決済金額とを残高管理装置に送信する決済問合手段と、
前記残高管理装置から受信した決済の可否を示す情報に基づいて決済の結果を示す情報を出力する結果出力手段と、
を含む、ことを特徴とする決済システム。
【請求項１９】
店舗端末に送信する決済口座を示すデータを取得するステップと、
前記決済口座を示すデータが符号化されてなるＰＣＭ形式の出力音声データであって、非可聴周波数帯の音声を示す出力音声データを出力する符号化ステップと、
携帯端末が前記出力音声データをＤＡ変換器に変換させることにより当該出力音声データに応じた音声をスピーカに出力させる出力ステップと、
店舗端末がマイクに入力される音声であって、携帯端末が送信する決済口座を示すデータが符号化されてなる音声を示すＰＣＭ形式の入力音声データをＡＤ変換器を介して取得する入力ステップと、
前記入力音声データが示す音声から非可聴周波数帯の音声を抽出した抽出音声データを生成する抽出ステップと、
前記抽出音声データに基づいて前記決済口座を示すデータを復号する復号ステップと、
前記決済口座を示すデータと、決済金額とを残高管理装置に送信する決済問合ステップと、
前記残高管理装置から受信した決済の可否を示す情報に基づいて決済の結果を示す情報を出力する結果出力ステップと、
を含み、
前記符号化ステップでは、前記出力音声データが前記送信データに応じて複数の有音区間と隣り合う有音区間の間の無音区間とを有する音声を示し、かつ前記各有音区間の振幅が開始時から増加し極大となった後に減少するサインカーブを示すように当該出力音声データを出力する、
ことを特徴とする決済方法。